(57)【要約】【課題】熱衝撃によるバスバの接触部と端子の被接触部との間の抵抗上昇を抑制することができるコネクタを提供する。【解決手段】複数の接触部３とこの複数の接触部３を一体に連結する連結部５とを有するバスバ７と、このバスバ７の連結部５が内部に圧入され複数の接触部３が内部に配置される第１嵌合部９を有する合成樹脂からなる第１ハウジング１１と、バスバ７の接触部３に接触される被接触部１３をそれぞれ有する複数の端子１５と、第１ハウジング１１の第１嵌合部９に嵌合可能な第２嵌合部１７とこの第２嵌合部１７の内部に設けられ複数の端子１５の被接触部１３をそれぞれ収容する複数の端子収容室１９とを有する合成樹脂からなる第２ハウジング２１とを備えたコネクタ１において、端子１５の被接触部１３と端子収容室１９の内壁との隙間Ｃを、バスバ７と第２ハウジング２１との熱衝撃の差による端子１５の被接触部１３の移動量以上に設定した。【選択図】図３
2014232644.tif 000002
【特許請求の範囲】
【請求項１】
並列に配置された複数の接触部とこの複数の接触部を一体に連結する連結部とを有するバスバと、このバスバの連結部が内部に圧入され前記複数の接触部が内部に配置される第１嵌合部を有する合成樹脂からなる第１ハウジングと、前記バスバの接触部に接触される被接触部をそれぞれ有する複数の端子と、前記第１ハウジングの第１嵌合部に嵌合可能な第２嵌合部とこの第２嵌合部の内部に並列に設けられ前記複数の端子の被接触部をそれぞれ収容する複数の端子収容室とを有する合成樹脂からなる第２ハウジングとを備えたコネクタであって、
前記端子の被接触部と前記端子収容室の内壁との隙間は、前記バスバと前記第２ハウジングとの熱衝撃の差による前記端子の被接触部の移動量以上に設定されていることを特徴とするコネクタ。
【請求項２】
請求項１記載のコネクタであって、
前記バスバの接触部と前記端子の被接触部とは、前記複数の端子の配列方向と直交する方向に接触され、
前記端子は、前記端子収容室内で前記複数の端子の配列方向と直交する方向の移動が規制され、
前記端子の被接触部と前記端子収容室の内壁との隙間は、前記端子の被接触部における前記複数の端子の配列方向の両側と、前記端子収容室の内壁における前記複数の端子の配列方向の両側壁との間に設けられていることを特徴とするコネクタ。
【発明の詳細な説明】
【技術分野】
【０００１】
本発明は、コネクタに関する。
【背景技術】
【０００２】
従来、コネクタとしては、並列に配置された複数の接触部とこの複数の接触部を一体に連結する連結部とを有するバスバと、このバスバの連結部に設けられた係止部が内部に圧入され複数の接触部が内部に配置される第１嵌合部としての開口部を有する合成樹脂からなる第１ハウジングとを備えたものが知られている（例えば、特許文献１参照）。
【０００３】
このようなコネクタでは、上記の部材の他に、第１ハウジングに収容されたバスバの接触部に接触される被接触部をそれぞれ有する複数の端子と、第１ハウジングの開口部に嵌合可能な第２嵌合部とこの第２嵌合部の内部に設けられ複数の端子をそれぞれ収容する合成樹脂からなる第２ハウジングとを備えている。
【０００４】
そして、第１ハウジングの開口部と第２ハウジングの第２嵌合部とを嵌合させることにより、接触部と被接触部とが接触され、バスバと複数の端子とが電気的に接続される。
【先行技術文献】
【特許文献】
【０００５】
【特許文献１】特開平７−７３９３８号公報
【発明の概要】
【発明が解決しようとする課題】
【０００６】
ところで、上記特許文献１のようなコネクタでは、第１ハウジングの第１嵌合部と第２ハウジングの第２嵌合部とが嵌合した状態で、著しい温度変化などによって各部材に熱衝撃が与えられることがある。
【０００７】
この熱衝撃が与えられると、バスバの複数の接触部はバスバの連結部の熱膨張或いは熱収縮に追従して第１ハウジングの第１嵌合部内を動き、複数の端子の被接触部は第２ハウジングの端子収容室の熱膨張或いは熱収縮に追従して第２ハウジングの第２嵌合部内を動く。
【０００８】
しかしながら、バスバと第２ハウジングとは、異なる材料で形成されているので、それぞれ固有の熱膨張係数が異なり、熱膨張或いは熱収縮の量に違いが生じ、バスバの接触部と端子の被接触部との移動量に差が生じてしまう。このような移動量に違いを生じる熱衝撃を繰り返すと、接触部と被接触部との間が摩耗し、抵抗が上昇する恐れがある。
【０００９】
そこで、この発明は、熱衝撃によるバスバの接触部と端子の被接触部との間の抵抗上昇を抑制することができるコネクタの提供を目的としている。
【課題を解決するための手段】
【００１０】
請求項１記載の発明は、並列に配置された複数の接触部とこの複数の接触部を一体に連結する連結部とを有するバスバと、このバスバの連結部が内部に圧入され前記複数の接触部が内部に配置される第１嵌合部を有する合成樹脂からなる第１ハウジングと、前記バスバの接触部に接触される被接触部をそれぞれ有する複数の端子と、前記第１ハウジングの第１嵌合部に嵌合可能な第２嵌合部とこの第２嵌合部の内部に並列に設けられ前記複数の端子の被接触部をそれぞれ収容する複数の端子収容室とを有する合成樹脂からなる第２ハウジングとを備えたコネクタであって、前記端子の被接触部と前記端子収容室の内壁との隙間は、前記バスバと前記第２ハウジングとの熱衝撃の差による前記端子の被接触部の移動量以上に設定されていることを特徴とする。
【００１１】
このコネクタでは、端子の被接触部と端子収容室の内壁との隙間がバスバと第２ハウジングとの熱衝撃の差による端子の被接触部の移動量以上に設定されているので、熱衝撃によりバスバと第２ハウジングとが熱膨張或いは熱収縮しても、端子の被接触部と端子収容室の内壁との隙間によって端子収容室の内壁と端子の被接触部とが接触することがなく、端子収容室内における端子の被接触部の配置位置が変動されることがない。
【００１２】
従って、このようなコネクタでは、熱衝撃によるバスバと第２ハウジングとの熱膨張或いは熱収縮によって端子の被接触部の配置位置が変動されることがないので、バスバの接触部と端子の被接触部との間の摩耗を抑制することができ、熱衝撃によるバスバの接触部と端子の被接触部との間の抵抗上昇を抑制することができる。
【００１３】
請求項２記載の発明は、請求項１記載のコネクタであって、前記バスバの接触部と前記端子の被接触部とは、前記複数の端子の配列方向と直交する方向に接触され、前記端子は、前記端子収容室内で前記複数の端子の配列方向と直交する方向の移動が規制され、前記端子の被接触部と前記端子収容室の内壁との隙間は、前記端子の被接触部における前記複数の端子の配列方向の両側と、前記端子収容室の内壁における前記複数の端子の配列方向の両側壁との間に設けられていることを特徴とする。
【００１４】
このコネクタでは、バスバの接触部と端子の被接触部とが複数の端子の配列方向と直交する方向に接触され、端子が端子収容室内で複数の端子の配列方向と直交する方向の移動が規制されているので、端子収容室内で端子の被接触部が複数の端子の配列方向と直交する方向にガタつくことがなく、バスバの接触部と端子の被接触部との接触を安定させることができる。
【００１５】
また、端子の被接触部と端子収容室の内壁との隙間は、端子の被接触部における複数の端子の配列方向の両側と、端子収容室の内壁における複数の端子の配列方向の両側壁との間に設けられているので、バスバの接触部と端子の被接触部との接触を確保しつつ、熱衝撃によるバスバの接触部と端子の被接触部との間の摩耗を抑制することができる。
【発明の効果】
【００１６】
本発明によれば、熱衝撃によるバスバの接触部と端子の被接触部との間の抵抗上昇を抑制することができるコネクタを提供することができるという効果を奏する。
【図面の簡単な説明】
【００１７】
【図１】本発明の実施の形態に係るコネクタの正面図である。
【図２】図１のＡ−Ａ断面図である。
【図３】図１のＢ−Ｂ断面図である。
【図４】（ａ）は本発明の実施の形態に係るコネクタのバスバの斜視図である。（ｂ）は本発明の実施の形態に係るコネクタのバスバの正面図である。（ｃ）は図４（ｂ）のＣ−Ｃ断面図である。
【図５】本発明の実施の形態に係るコネクタの第１ハウジングの斜視図である。
【図６】本発明の実施の形態に係るコネクタの第１ハウジングの正面図である。
【図７】図６のＤ−Ｄ断面図である。
【図８】図６のＥ−Ｅ断面図である。
【図９】（ａ）は本発明の実施の形態に係るコネクタの端子の斜視図である。（ｂ）は本発明の実施の形態に係るコネクタの端子の正面図である。（ｃ）は図９（ｂ）のＦ−Ｆ断面図である。
【図１０】本発明の実施の形態に係るコネクタの第２ハウジングの斜視図である。
【図１１】本発明の実施の形態に係るコネクタの第２ハウジングの正面図である。
【図１２】図１１のＧ−Ｇ断面図である。
【図１３】図１１のＨ−Ｈ断面図である。
【発明を実施するための形態】
【００１８】
図１〜図１３を用いて本発明の実施の形態に係るコネクタについて説明する。
【００１９】
本実施の形態に係るコネクタ１は、並列に配置された複数の接触部３とこの複数の接触部３を一体に連結する連結部５とを有するバスバ７と、このバスバ７の連結部５が内部に圧入され複数の接触部３が内部に配置される第１嵌合部９を有する合成樹脂からなる第１ハウジング１１と、バスバ７の接触部３に接触される被接触部１３をそれぞれ有する複数の端子１５と、第１ハウジング１１の第１嵌合部９に嵌合可能な第２嵌合部１７とこの第２嵌合部１７の内部に並列に設けられ複数の端子１５の被接触部１３をそれぞれ収容する複数の端子収容室１９とを有する合成樹脂からなる第２ハウジング２１とを備えている。
【００２０】
そして、端子１５の被接触部１３と端子収容室１９の内壁との隙間Ｃは、バスバ７と第２ハウジング２１との熱衝撃の差による端子１５の被接触部１３の移動量以上に設定されている。
【００２１】
また、バスバ７の接触部３と端子１５の被接触部１３とは、複数の端子１５の配列方向と直交する方向に接触され、端子１５は、端子収容室１９内で複数の端子１５の配列方向と直交する方向の移動が規制され、端子１５の被接触部１３と端子収容室１９の内壁との隙間Ｃは、端子１５の被接触部１３における複数の端子１５の配列方向の両側と、端子収容室１９の内壁における複数の端子１５の配列方向の両側壁２３，２３との間に設けられている。
【００２２】
図１〜図１３に示すように、バスバ７は、銅合金などの導電性材料からなり、薄板状に形成された母材を切り抜き加工などを施すことによって、複数の接触部３と、連結部５とが連続する一部材で形成されている。
【００２３】
複数の接触部３は、バスバ７の一側に並列に配置され、それぞれがタブ状に形成されている。この複数の接触部３は、バスバ７の他端側で連結部５と連続する一部材で一体に形成されている。
【００２４】
このような複数の接触部３は、連結部５が第１ハウジング１１の挿入口２５に圧入された状態で、第１ハウジング１１の第１嵌合部９の内部に並列に配置される。
【００２５】
連結部５は、バスバ７の他側に連続した一部材で薄板状に形成されている。また、連結部５には、等間隔で並列に配置された複数の係止孔２７が設けられている。この連結部５の両側面には、大小２つの係止突起２９，３１がそれぞれ突設されている。
【００２６】
このような連結部５は、バスバ７が第１ハウジング１１の第１嵌合部９の内部に挿入されることにより、第１嵌合部９の底部に設けられた挿入口２５に挿入される。この連結部５の挿入口２５への挿入より、係止突起２９，３１が挿入口２５の内部に圧入され、バスバ７が第１ハウジング１１に固定される。
【００２７】
第１ハウジング１１は、合成樹脂などの絶縁性材料からなり、筐体状に形成され、挿入口２５と、第１嵌合部９とを備えている。
【００２８】
挿入口２５は、第１ハウジング１１の一側の内部に設けられ、第１嵌合部９の底部側が開口されている。また、挿入口２５の底部側には、圧入部３３と、係止突部３５とが設けられている。
【００２９】
圧入部３３は、挿入口２５の底部側の両側面に段差状にそれぞれ設けられている。この圧入部３３は、バスバ７の連結部５が挿入口２５内に挿入されることにより、バスバ７の係止突起２９，３１が圧入される。
【００３０】
係止突部３５は、挿入口２５の底部側で圧入部３３，３３間にバスバ７の複数の係止孔２７と対応するように並列に複数突設されている。この複数の係止突部３５は、バスバ７の係止突起２９，３１が圧入部３３に圧入された状態で、バスバ７の複数の係止孔２７にそれぞれ係止され、連結部５の挿入口２５からの抜け止めを行う。
【００３１】
このような挿入口２５にバスバ７の連結部５が圧入された状態では、バスバ７の複数の接触部３が第１嵌合部９の内部に並列に配置された状態となる。
【００３２】
第１嵌合部９は、挿入口２５の開口側を底部とし、第１ハウジング１１の他側に向けて開口するようにフード状に形成されている。また、第１嵌合部９の上面には、第２ハウジング２１のロック部５１が挿入される溝部３７が設けられ、この溝部３７内の端部にはロック部５１が係止される被ロック部３９が突設されている。
【００３３】
この第１嵌合部９には、内周側に第２ハウジング２１の第２嵌合部１７が嵌合される。この第１嵌合部９と第２嵌合部１７との嵌合により、第１嵌合部９内に配置されたバスバ７の複数の接触部３と、第２嵌合部１７内に収容された複数の端子１５の被接触部１３とが接続される。
【００３４】
複数の端子１５は、銅合金などの導電性材料からなり、箱状の被接触部１３を有する雌型端子となっている。また、複数の端子１５は、それぞれ電源や機器などに接続された電線（不図示）の端末部に圧着部４１が圧着されて電気的に接続されている。
【００３５】
この複数の端子１５の被接触部１３には、それぞれ弾性片４３が設けられている。弾性片４３は、基端側が被接触部１３の底壁から連続する一部材で形成され、自由端側が被接触部１３の上壁に向けて折り曲げ形成され、被接触部１３内に撓み可能に設けられている。
【００３６】
この弾性片４３の自由端側には、バスバ７の接触部３との接点となるように折り曲げ形成された接点部４５が設けられている。この接点部４５は、被接触部１３の開口からバスバ７の接触部３が挿入されることにより、複数の端子１５の配列方向と直交する方向に弾性片４３の付勢力によって接触部３に接触され、バスバ７と複数の端子１５とが電気的に接続される。
【００３７】
このようなバスバ７の接触部３と端子１５の接点部４５との接触方向への端子１５の移動は、端子１５の被接触部１３の下面に突設された規制突部４７と、端子収容室１９の内壁の上面との当接によって規制されている。
【００３８】
この端子収容室１９内における端子１５の移動規制により、端子収容室１９内で端子１５の被接触部１３がバスバ７の接触部３と端子１５の接点部４５との接触方向にガタつくことがなく、バスバ７の接触部３と端子１５の被接触部１３との接触を安定化させることができる。
【００３９】
このような複数の端子１５は、被接触部１３側が第２ハウジング２１の開口から内部に挿入され、被接触部１３が第２嵌合部１７側に位置するように第２ハウジング２１内の複数の端子収容室１９にそれぞれ収容される。このとき、端子１５の被接触部１３には、端子収容室１９内に撓み可能に設けられた係止ランス４９が係止され、第２ハウジング２１からの抜け止めがなされる。
【００４０】
第２ハウジング２１は、合成樹脂などの第１ハウジング１１と同じ絶縁性材料からなり、筐体状に形成され、第２嵌合部１７と、複数の端子収容室１９とを備えている。
【００４１】
第２嵌合部１７は、第２ハウジング２１の外形部分において、第１ハウジング１１の第１嵌合部９内に収容される部分となっている。この第２嵌合部１７の上面には、ロック部５１が撓み可能に設けられている。
【００４２】
ロック部５１は、第２嵌合部１７を第１ハウジング１１の第１嵌合部９内に嵌合させることにより、第１ハウジング１１の溝部３７内に挿入され、第１嵌合部９と第２嵌合部１７との正規嵌合状態で、溝部３７内の被ロック部３９に係止する。
【００４３】
なお、ロック部５１の端部には、第１嵌合部９と第２嵌合部１７との正規嵌合状態で、溝部３７の外部に露出され、押圧操作されることにより、ロック部５１を撓ませてロック部５１と被ロック部３９との係止を解除可能な操作部５３が設けられている。
【００４４】
このような第１ハウジング１１の第１嵌合部９内に嵌合可能な第２嵌合部１７内には、複数の端子収容室１９が設けられている。
【００４５】
複数の端子収容室１９は、第２ハウジング２１の幅方向にバスバ７の複数の接触部３と対応するように並列に第２嵌合部１７の内部に設けられている。この端子収容室１９は、一側が端子１５の被接触部１３を挿入可能なように開口され、他側がバスバ７の接触部３を挿入可能なように開口されている。
【００４６】
このような複数の端子収容室１９には、一側の開口からそれぞれ端子１５の被接触部１３が挿入され、他側の開口と被接触部１３の開口とが同位置となるように収容配置される。
【００４７】
このように端子収容室１９に端子１５が収容された第２ハウジング２１の第２嵌合部１７を第１ハウジング１１の第１嵌合部９内に嵌合させることにより、端子収容室１９の開口からバスバ７の接触部３が挿入され、端子１５の被接触部１３内に挿入されて接点部４５と接触され、バスバ７と複数の端子１５とが電気的に接続される。
【００４８】
このように構成されたコネクタ１では、第１ハウジング１１の第１嵌合部９と第２ハウジング２１の第２嵌合部１７とが嵌合した状態で、著しい温度変化などによって第１ハウジング１１と第２ハウジング２１とバスバ７とに熱衝撃が与えられることがある。
【００４９】
このような熱衝撃が与えられると、バスバ７と第２ハウジング２１とは、銅合金や合成樹脂などのように異なる材料で形成されているので、それぞれ固有の熱膨張係数が異なり、熱膨張或いは熱収縮の量に違いが生じる。
【００５０】
ここで、複数の端子１５が第２ハウジング２１の複数の端子収容室１９内において、例えば、端子１５の被接触部１３の両側面が端子収容室１９の両側壁２３，２３に当接されている場合には、第２ハウジング２１に熱衝撃が与えられると、端子１５の被接触部１３が第２ハウジング２１の端子収容室１９の熱膨張或いは熱収縮に追従して第２ハウジング２１の第２嵌合部１７内を動く。
【００５１】
一方、バスバ７の複数の接触部３は、バスバ７の連結部５の熱膨張或いは熱収縮に追従して第１ハウジング１１の第１嵌合部９内を動く。
【００５２】
このため、端子１５の被接触部１３の両側面が端子収容室１９の両側壁２３，２３に当接されている場合には、コネクタ１に熱衝撃が与えられると、バスバ７の接触部３と端子１５の被接触部１３との移動量に差が生じてしまう。
【００５３】
このようなバスバ７の接触部３と端子１５の被接触部１３との移動量に差が生じる熱衝撃を繰り返し与えると、バスバ７の複数の接触部３と、複数の端子１５の被接触部１３、詳細には被接触部１３内の接点部４５との間に、摩耗が生じ、接触部３と被接触部１３との間の抵抗上昇を引き起こす可能性があった。
【００５４】
そこで、コネクタ１では、端子１５の被接触部１３と端子収容室１９の内壁との隙間Ｃが、バスバ７と第２ハウジング２１との熱衝撃の差による端子１５の被接触部１３の移動量以上に設定されている。
【００５５】
詳細には、隙間Ｃは、端子１５の被接触部１３の両側面が端子収容室１９の両側壁２３，２３に当接されている場合において、第２ハウジング２１の熱衝撃による端子収容室１９の熱膨張或いは熱収縮に追従して移動される端子１５の被接触部１３の移動量以上に設定されている。
【００５６】
このため、隙間Ｃは、端子１５の被接触部１３における複数の端子１５の配列方向の両側と、端子収容室１９の内壁における複数の端子１５の配列方向の両側壁２３，２３との間に設けられている。この隙間Ｃは、バスバ７の連結部５の中心側から両側面に向かうに従って、広くなるように設定されている。
【００５７】
これは、例えば、バスバ７が熱膨張したとすると、連結部５の中心より外側に位置する接触部３は、連結部５の中心部分の熱膨張による移動量に加えて、自身が位置する部分の連結部５の熱膨張による移動量を考慮する必要があるためである。
【００５８】
このように端子１５の被接触部１３と端子収容室１９の内壁との隙間Ｃを設定することにより、熱衝撃によりバスバ７と第２ハウジング２１とが熱膨張或いは熱収縮しても、端子１５の被接触部１３と端子収容室１９の両側壁２３，２３とが接触することがなく、端子収容室１９内における端子１５の被接触部１３の配置位置が変動されることがない。
【００５９】
このため、第１ハウジング１１の第１嵌合部９と第２ハウジング２１の第２嵌合部１７とが嵌合した状態で、コネクタ１に繰り返し熱衝撃が与えられたとしても、バスバ７の複数の接触部３と、複数の端子１５の被接触部１３内の接点部４５との間に生じる摩耗を抑制することができ、接触部３と被接触部１３との間の抵抗上昇を抑制することができる。
【００６０】
このようなコネクタ１では、端子１５の被接触部１３と端子収容室１９の内壁との隙間Ｃがバスバ７と第２ハウジング２１との熱衝撃の差による端子１５の被接触部１３の移動量以上に設定されているので、熱衝撃によりバスバ７と第２ハウジング２１とが熱膨張或いは熱収縮しても、端子１５の被接触部１３と端子収容室１９の内壁との隙間Ｃによって端子収容室１９の内壁と端子１５の被接触部１３とが接触することがなく、端子収容室１９内における端子１５の被接触部１３の配置位置が変動されることがない。
【００６１】
従って、このようなコネクタ１では、熱衝撃によるバスバ７と第２ハウジング２１との熱膨張或いは熱収縮によって端子１５の被接触部１３の配置位置が変動されることがないので、バスバ７の接触部３と端子１５の被接触部１３との間の摩耗を抑制することができ、熱衝撃によるバスバ７の接触部３と端子１５の被接触部１３との間の抵抗上昇を抑制することができる。
【００６２】
また、バスバ７の接触部３と端子１５の被接触部１３とは複数の端子１５の配列方向と直交する方向に接触され、端子１５は端子収容室１９内で複数の端子１５の配列方向と直交する方向の移動が規制されているので、端子収容室１９内で端子１５の被接触部１３が複数の端子１５の配列方向と直交する方向にガタつくことがなく、バスバ７の接触部３と端子１５の被接触部１３との接触を安定させることができる。
【００６３】
さらに、端子１５の被接触部１３と端子収容室１９の内壁との隙間Ｃは、端子１５の被接触部１３における複数の端子１５の配列方向の両側と、端子収容室１９の内壁における複数の端子１５の配列方向の両側壁２３，２３との間に設けられているので、バスバ７の接触部３と端子１５の被接触部１３との接触を確保しつつ、熱衝撃によるバスバ７の接触部３と端子１５の被接触部１３との間の摩耗を抑制することができる。
【００６４】
なお、本発明の実施の形態に係るコネクタでは、バスバの連結部の両側が第１ハウジングの挿入口内の両側壁に圧入されているが、これに限らず、例えば、連結部に係止部を設け、この係止部を挿入口内に設けられた係止孔に圧入させるなど、バスバと第１ハウジングとの圧入はどのような構成であってもよい。
【符号の説明】
【００６５】
１…コネクタ
３…接触部
５…連結部
７…バスバ
９…第１嵌合部
１１…第１ハウジング
１３…被接触部
１５…端子
１７…第２嵌合部
１９…端子収容室
２１…第２ハウジング
Ｃ…隙間
２３…側壁
【図１】
2014232644.tif 000003
【図２】
2014232644.tif 000004
【図３】
2014232644.tif 000005
【図４】
2014232644.tif 000006
【図５】
2014232644.tif 000007
【図６】
2014232644.tif 000008
【図７】
2014232644.tif 000009
【図８】
2014232644.tif 000010
【図９】
2014232644.tif 000011
【図１０】
2014232644.tif 000012
【図１１】
2014232644.tif 000013
【図１２】
2014232644.tif 000014
【図１３】
2014232644.tif 000015